(57)【要約】【課題】同一の記録媒体において、製造時期／製造場所の違いによる品質ばらつきが発生しており、製造時期／製造場所の違いを示す製造番号毎の記録用パラメータ（ライトパワーおよびライトストラテジ）を切り替えてやる必要があった。【解決手段】記録前に、製造番号を記録再生装置メーカおよび記録媒体メーカのサーバ・コンピュータに送信し、サーバ・コンピュータからロット番号に相対する最適な記録用パラメータ情報をダウンロードし、かつ記録再生装置の不揮発性メモリに書き込むことで、ロット番号に相対し、かつ最適な記録用パラメータ情報を用いた記録を行うような構成にした。【選択図】  図２
2004355698.tif 000002
【特許請求の範囲】
【請求項１】
記録媒体の記録および再生を行う記録再生手段と、記録媒体の記録品質を計測する記録品質計測手段と、ファームウェアおよび記録用パラメータ情報を格納し、電気的に消去および書き換え可能な情報蓄積手段とを有する記録再生装置と、前記記録再生装置および外部のサーバ・コンピュータとの情報の送受信を行う情報送受信手段とを有するホスト・コンピュータと、前記記録再生装置のファームウェア管理を行っている記録再生装置メーカのサーバ・コンピュータとを備えた記録品質保証システムにおいて、前記記録媒体の製造番号を照合し、前記記録再生装置の前記情報蓄積手段内に、前記製造番号に相対する記録用パラメータ情報が存在するか否かを判定し、無ければ、前記ホスト・コンピュータは、前記記録再生装置メーカのサーバ・コンピュータに対し、前記記録再生装置および前記記録媒体の前記製造番号を送信し、また、前記ホスト・コンピュータは、前記記録再生装置メーカのサーバ・コンピュータから、前記製造番号に相対する最適な記録用パラメータ情報を受信することを特徴とした記録品質保証システム。
【請求項２】
前記記録再生装置メーカのサーバ・コンピュータは、受信した記録再生装置および記録媒体の製造番号に相対する最適な記録用パラメータ情報を予め算出し、保管していることを特徴とした請求項１記載の記録品質保証システム。
【請求項３】
前記ホスト・コンピュータは、受信した前記製造番号に相対する最適な記録用パラメータ情報を、前記記録再生装置の情報蓄積手段に書き込むことを特徴とした請求項１記載の記録品質保証システム。
【請求項４】
記録媒体の記録および再生を行う記録再生手段と、記録媒体の記録品質を計測する記録品質計測手段と、ファームウェアおよび記録用パラメータ情報を格納し、電気的に消去および書き換え可能な情報蓄積手段とを有する記録再生装置と、前記記録再生装置および外部のサーバ・コンピュータとの情報の送受信を行う情報送受信手段とを有するホスト・コンピュータと、前記記録媒体を製造する記録媒体メーカのサーバ・コンピュータとを備えた記録品質保証システムにおいて、前記記録媒体の製造番号を照合し、前記記録再生装置の前記情報蓄積手段内に、前記製造番号に相対する記録用パラメータ情報が存在するか否かを判定し、無ければ、前記ホスト・コンピュータは、前記記録媒体メーカのサーバ・コンピュータに対し、前記記録媒体の製造番号を送信し、また、前記ホスト・コンピュータは、前記記録媒体メーカのサーバ・コンピュータから、前記製造番号に相対し、かつ前記記録媒体メーカが推奨する記録用パラメータ情報を受信することを特徴とした記録品質保証システム。
【請求項５】
前記記録媒体メーカのサーバ・コンピュータは、受信した記録媒体の製造番号に相対し、かつ記録媒体メーカが推奨する記録用パラメータ情報を予め算出し、保管していることを特徴とした請求項４記載の記録品質保証システム。
【請求項６】
前記ホスト・コンピュータは、受信した前記製造番号に相対し、かつ記録媒体メーカが推奨する記録用パラメータ情報を、前記記録再生装置の情報蓄積手段に書き込むことを特徴とした請求項４記載の記録品質保証システム。
【請求項７】
記録媒体の記録および再生を行う記録再生手段と、記録媒体の記録品質を計測する記録品質計測手段と、ファームウェアおよび記録用パラメータ情報を格納し、電気的に消去および書き換え可能な情報蓄積手段とを有する記録再生装置と、前記記録再生装置および外部のサーバ・コンピュータとの情報の送受信を行う情報送受信手段とを有するホスト・コンピュータと、前記記録再生装置のファームウェア管理を行っている記録再生装置メーカのサーバ・コンピュータとを備えた記録品質保証システムにおいて、記録終了後に、前記記録媒体の記録品質を計測し、前記記録品質が所定値より悪い場合、前記ホスト・コンピュータは、前記記録品質の計測結果および前記記録媒体の製造番号を、前記記録再生装置メーカのサーバ・コンピュータに送信することを特徴とした記録品質保証システム。
【請求項８】
請求項７に記載する前記記録再生装置メーカのサーバ・コンピュータは、受信した前記記録品質の計測結果および前記記録媒体の製造番号をもとに、前記記録再生装置および前記記録媒体における最適な記録用パラメータ情報を算出することを特徴とした記録品質保証システム。
【請求項９】
請求項７に記載する前記記録再生装置メーカのサーバ・コンピュータは、算出した前記最適な記録用パラメータ情報を前記ホスト・コンピュータに送信し、また、前記ホスト・コンピュータは、受信した前記記録用パラメータ情報を前記記録再生装置の前記情報蓄積手段に書き込むことを特徴とした記録品質保証システム。
【請求項１０】
記録媒体の記録および再生を行う記録再生手段と、記録媒体の記録品質を計測する記録品質計測手段と、ファームウェアおよび記録用パラメータ情報を格納し、電気的に消去および書き換え可能な情報蓄積手段とを有する記録再生装置と、前記記録再生装置および外部のサーバ・コンピュータとの情報の送受信を行う情報送受信手段とを有するホスト・コンピュータと、複数のホスト・コンピュータから収集された記録後の記録媒体の記録品質、記録再生装置および記録媒体の製造番号情報を有する任意サーバ・コンピュータとを備えた記録品質保証システムにおいて、記録終了後に、前記記録媒体の記録品質を計測し、前記記録品質が所定値より良い場合、前記ホスト・コンピュータは、前記記録再生装置、前記記録媒体の製造番号、および記録時に用いた記録用パラメータ情報を、前記任意サーバ・コンピュータに送信することを特徴とした記録品質保証システム。
【請求項１１】
前記複数のホスト・コンピュータは、記録前に、前記任意サーバ・コンピュータに対し、記録再生装置および記録媒体の製造番号を送信し、前記任意サーバ・コンピュータから、前記記録再生装置および前記記録媒体の製造番号に相対する最適な記録用パラメータ情報を受信することを特徴とした請求項１０記載の記録品質保証システム。
【請求項１２】
前記複数のホスト・コンピュータは、受信した前記記録再生装置および前記記録媒体の製造番号に相対する最適な記録用パラメータ情報を前記記録再生装置の前記情報蓄積手段に書き込むことを特徴とした請求項１０記載の記録品質保証システム。
【発明の詳細な説明】
【０００１】
【発明の属する技術分野】
本発明は、記録媒体に対して記録および再生を行い、かつ外部のサーバ・コンピュータと情報の送受信を行う記録再生装置と、前記記録媒体の記録品質を保証するシステムに関するものである。
【０００２】
【従来の技術】
記録再生装置は、消去／書き換え可能な不揮発性メモリ（例えば、フラッシュＲＯＭ）を内蔵しており、モデム等の通信手段を介してネットワーク経由で、記録再生装置メーカのサーバ・コンピュータから最新版のファームウェアをダウンロード、かつ不揮発性メモリに書き込むことにより、記録媒体に対する最新の記録用パラメータ情報（例えば、ライトパワーおよびライトストラテジ）が更新され、その記録用パラメータ情報を用いて、記録媒体への記録を行っていた（例えば、特許文献１参照）。
【０００３】
ここで、従来の記録品質保証システムについて、図８、図９および図１０を用いて説明する。
【０００４】
図８は、従来の記録品質保証システムの概略図である。従来の記録品質保証システムにおいて、記録再生装置を搭載しているホスト・コンピュータＡは、モデム等の通信手段を介して記録再生装置メーカのサーバ・コンピュータとネットワーク接続されている。
【０００５】
図９は、従来の記録品質保証システムの構成図である。ホストコンピュータに搭載されている記録再生装置に記録媒体１が挿入されると、まず、回転制御回路２によりスピンドルモータ３を回転制御され、記録媒体１のスピンアップが行われる。そして、ＣＰＵ４が光ピックアップ駆動回路５にシーク命令を出すことにより、光ピックアップ６を記録媒体１の所定領域にシークさせることができ、また、記録／再生回路７に記録あるいは再生命令を出すことにより、記録媒体１に情報を記録するためのエンコード処理を行ったり、情報を再生するためのデコード処理を行ったりできる。また、これら処理動作を行うためのファームウェアは不揮発性メモリ内８に記憶されており、ホスト・コンピュータのＣＰＵ４’がファームウェアのダウンロード・コマンドを受信すると、ホスト・コンピュータ側のモデム９とサーバ・コンピュータ側のモデム９’とのネットワーク網を経由し、サーバ・コンピュータのＨＤＤ１０’内からファームウェアをダウンロードし、ダウンロードされたファームウェアはホスト・コンピュータのＨＤＤ１０’に一時記憶され、かつ記録再生装置の不揮発性メモリ８に書き込まれることにより、ファームウェアの更新が行われる。
【０００６】
図１０は、従来の記録品質保証システムにおいて、記録品質を確保するための記録動作のフローチャートある。
【０００７】
従来の記録品質保証システムでは、記録品質保証システムの使用者が自らファームウェアを最新版に更新するか否かを決定し（Ｓ１）、もし、更新ならば、ホスト・コンピュータは、記録再生装置メーカのサーバ・コンピュータとネットワーク接続を行い（Ｓ２）、サーバ・コンピュータのＨＤＤ１０’に存在する最新版ファームウェアをダウンロードし、最新版ファームウェアをホスト・コンピュータのＨＤＤ１０に一時記憶し、かつ記録再生装置の不揮発性メモリ８に書き込み（Ｓ１３）、ネットワーク切断する（Ｓ４）。そして、光記録媒体１が挿入された状態で、記録品質保証システムの使用者が、ホストコンピュータにＷＲＩＴＥコマンドを発行すると（Ｓ５）、ＣＰＵ４は不揮発性メモリ８から最新版ファームウェアの記録用パラメータを読み出し（Ｓ６）、読み出した記録用パラメータを用いて記録媒体１を記録する（Ｓ７）というものである。
【０００８】
【特許文献１】
特開２００２−３２２３７号公報（第１０頁、第４図）
【０００９】
【発明が解決しようとする課題】
しかしながら、近年、記録媒体の普及により記録媒体の大量生産が行われており、同一の記録媒体においても製造時期／製造場所の違いによる品質ばらつきが発生している。そのため、記録再生装置メーカのサーバ・コンピュータから最新版のファームウェアをダウンロードし、最新版の記録用パラメータ情報を用いて記録したとしても、品質の悪い記録媒体の場合、記録後の記録媒体が再生できないという問題が発生している。
【００１０】
本発明は、このような問題点を解決する為になされたものであり、記録媒体の製造時期／製造場所に関わらず、安定した記録品質を保証するシステムを提供することを課題とする。
【００１１】
【課題を解決するための手段】
本発明は、製造時期／製造場所を示す製造番号（以下、ロット番号と記載する）を、ホスト・コンピュータから記録再生装置メーカおよび記録媒体メーカのサーバ・コンピュータに送信し、送信されたロット番号に相対する最適な記録用パラメータ情報をダウンロードし、かつ記録再生装置の不揮発性メモリに書き込む。そうすることで、ロット番号に相対する最適な記録用パラメータ情報を用いた記録が行えるため、安定した記録品質を確保することができる。
【００１２】
【発明の実施の形態】
本発明の請求項１に記載する発明は、記録媒体の記録および再生を行う記録再生手段と、記録媒体の記録品質を計測する記録品質計測手段と、ファームウェアおよび記録用パラメータ情報を格納し、電気的に消去および書き換え可能な情報蓄積手段とを有する記録再生装置と、前記記録再生装置および外部のサーバ・コンピュータとの情報の送受信を行う情報送受信手段とを有するホスト・コンピュータと、前記記録再生装置のファームウェア管理を行っている記録再生装置メーカのサーバ・コンピュータとを備えた記録品質保証システムにおいて、前記記録媒体の製造番号を照合し、前記記録再生装置の前記情報蓄積手段内に、前記製造番号に相対する記録用パラメータ情報が存在するか否かを判定し、無ければ、前記ホスト・コンピュータは、前記記録再生装置メーカのサーバ・コンピュータに対し、前記記録再生装置および前記記録媒体の前記製造番号を送信し、また、前記ホスト・コンピュータは、前記記録再生装置メーカのサーバ・コンピュータから、前記製造番号に相対する最適な記録用パラメータ情報を受信することを特徴とするものであり、送信された記録再生装置および記録媒体のロット番号に相対する最適な記録用パラメータ情報のダウンロードを実現しうるものである。
【００１３】
本発明の請求項２に記載する発明は、請求項１に記載する前記記録再生装置メーカのサーバ・コンピュータは、受信した記録再生装置および記録媒体の製造番号に相対する最適な記録用パラメータ情報を予め算出し、保管していることを特徴とするものであり、記録再生装置メーカのサーバ・コンピュータは、ホスト・コンピュータより製造番号を受信することで、予め算出し、かつ保管している最適な記録用パラメータ情報を、記録再生装置メーカのサーバ・コンピュータの情報記憶装置から容易に読み出せるようにするものである。
【００１４】
本発明の請求項３に記載する発明は、請求項１に記載する前記ホスト・コンピュータは、受信した前記製造番号に相対する最適な記録用パラメータ情報を、前記記録再生装置の情報蓄積手段に書き込むことを特徴とするものであり、最適な記録用パラメータ情報を記録再生装置の情報蓄積手段に書き込みことにより、記録したい記録媒体のロット番号に相対する最適な記録パラメータを用いた記録を実現しうるものである。
【００１５】
本発明の請求項４に記載する発明は、記録媒体の記録および再生を行う記録再生手段と、記録媒体の記録品質を計測する記録品質計測手段と、ファームウェアおよび記録用パラメータ情報を格納し、電気的に消去および書き換え可能な情報蓄積手段とを有する記録再生装置と、前記記録再生装置および外部のサーバ・コンピュータとの情報の送受信を行う情報送受信手段とを有するホスト・コンピュータと、前記記録媒体を製造する記録媒体メーカのサーバ・コンピュータとを備えた記録品質保証システムにおいて、前記記録媒体の製造番号を照合し、前記記録再生装置の前記情報蓄積手段内に、前記製造番号に相対する記録用パラメータ情報が存在するか否かを判定し、無ければ、前記ホスト・コンピュータは、前記記録媒体メーカのサーバ・コンピュータに対し、前記記録媒体の製造番号を送信し、また、前記ホスト・コンピュータは、前記記録媒体メーカのサーバ・コンピュータから、前記製造番号に相対し、かつ前記記録媒体メーカが推奨する記録用パラメータ情報を受信することを特徴とするものであり、送信された記録媒体のロット番号に相対し、かつ記録媒体メーカが推奨する記録用パラメータ情報のダウンロードを実現しうるものである。
【００１６】
本発明の請求項５に記載する発明は、請求項４に記載する前記記録媒体メーカのサーバ・コンピュータは、受信した記録媒体の製造番号に相対し、かつ記録媒体メーカが推奨する記録用パラメータ情報を予め算出し、保管していることを特徴とするものであり、記録媒体メーカのサーバ・コンピュータは、記録媒体の製造番号を受信することにより、予め算出し、かつ保管している記録媒体メーカが推奨する記録用パラメータ情報を、記録媒体メーカのサーバ・コンピュータの情報記憶装置から容易に読み出せるようにするものである。
【００１７】
本発明の請求項６に記載する発明は、請求項４に記載する前記ホスト・コンピュータは、受信した前記製造番号に相対し、かつ記録媒体メーカが推奨する記録用パラメータ情報を、前記記録再生装置の情報蓄積手段に書き込むことを特徴とするものであり、最適な記録用パラメータ情報を記録再生装置の情報蓄積手段に書き込みことにより、記録したい記録媒体のロット番号に相対し、かつ記録媒体メーカが推奨する記録パラメータを用いた記録を実現しうるものである。
【００１８】
本発明の請求項７に記載する発明は、記録媒体の記録および再生を行う記録再生手段と、記録媒体の記録品質を計測する記録品質計測手段と、ファームウェアおよび記録用パラメータ情報を格納し、電気的に消去および書き換え可能な情報蓄積手段とを有する記録再生装置と、前記記録再生装置および外部のサーバ・コンピュータとの情報の送受信を行う情報送受信手段とを有するホスト・コンピュータと、前記記録再生装置のファームウェア管理を行っている記録再生装置メーカのサーバ・コンピュータとを備えた記録品質保証システムにおいて、記録終了後に、前記記録媒体の記録品質を計測し、前記記録品質が所定値より悪い場合、前記ホスト・コンピュータは、前記記録品質の計測結果および前記記録媒体の製造番号を、前記記録再生装置メーカのサーバ・コンピュータに送信することを特徴とするものであり、記録終了後に、記録した記録媒体の記録品質を照合し、記録品質が所定値より悪い場合、記録再生装置メーカのサーバ・コンピュータに、記録品質計測結果および記録媒体の製造番号を送信することにより、記録再生装置メーカが、記録品質の悪い製造番号の記録媒体を迅速に把握できるようにするものである。
【００１９】
本発明の請求項８に記載する発明は、請求項７に記載する前記記録再生装置メーカのサーバ・コンピュータは、受信した前記記録品質の計測結果および前記記録媒体の製造番号をもとに、前記記録再生装置および前記記録媒体における最適な記録用パラメータ情報を算出することを特徴とするものであり、受信した記録品質計測結果および記録媒体の製造番号情報を参考にして、記録再生装置メーカが、記録品質の悪い製造番号の記録媒体の記録品質が良くなるよう記録用パラメータの最適化を行うものである。
【００２０】
本発明の請求項９に記載する発明は、請求項７に記載する前記記録再生装置メーカのサーバ・コンピュータは、算出した前記最適な記録用パラメータ情報を前記ホスト・コンピュータに送信し、また、前記ホスト・コンピュータは、受信した前記記録用パラメータ情報を前記記録再生装置の前記情報蓄積手段に書き込むことを特徴とするものであり、最適な記録用パラメータ情報を記録再生装置の情報蓄積手段に書き込みことにより、記録品質の悪いロット番号に相対する最適な記録パラメータを用いた記録を実現しうるものである
本発明の請求項１０に記載する発明は、記録媒体の記録および再生を行う記録再生手段と、記録媒体の記録品質を計測する記録品質計測手段と、ファームウェアおよび記録用パラメータ情報を格納し、電気的に消去および書き換え可能な情報蓄積手段とを有する記録再生装置と、前記記録再生装置および外部のサーバ・コンピュータとの情報の送受信を行う情報送受信手段とを有するホスト・コンピュータと、複数のホスト・コンピュータから収集された記録後の記録媒体の記録品質、記録再生装置および記録媒体の製造番号情報を有する任意サーバ・コンピュータとを備えた記録品質保証システムにおいて、記録終了後に、前記記録媒体の記録品質を計測し、前記記録品質が所定値より良い場合、前記ホスト・コンピュータは、前記記録再生装置、前記記録媒体の製造番号、および記録時に用いた記録用パラメータ情報を、前記任意サーバ・コンピュータに送信することを特徴とするものであり、記録終了後に、記録した記録媒体の記録品質を照合し、記録品質が所定値より良い場合、任意サーバ・コンピュータに、記録再生装置、記録媒体の製造番号および記録時に用いた記録用パラメータ情報を送信することにより、任意サーバ・コンピュータに、記録品質が確保できる記録用パラメータ情報を蓄積させるものである。
【００２１】
本発明の請求項１１に記載する発明は、請求項１０に記載する記録品質保証システムにおいて、複数のホスト・コンピュータは、記録前に、前記任意サーバ・コンピュータに対し、記録再生装置および記録媒体の製造番号を送信し、前記任意サーバ・コンピュータから、前記記録再生装置および前記記録媒体の製造番号に相対する最適な記録用パラメータ情報を受信することを特徴とするものであり、別のホスト・コンピュータが所定のロット番号の記録媒体に記録し、記録品質が確保できた記録用パラメータ情報が蓄積されているホスト・コンピュータに、記録再生装置および記録媒体のロット番号を送信することにより、記録再生装置および記録媒体のロット番号に相対し、かつ記録品質の良い記録用パラメータ情報のダウンロードを実現しうるものである。
【００２２】
本発明の請求項１２に記載する発明は、請求項１０に記載する記録品質保証システムにおいて、複数のホスト・コンピュータは、受信した前記記録再生装置および前記記録媒体の製造番号に相対する最適な記録用パラメータ情報を前記記録再生装置の前記情報蓄積手段に書き込むことを特徴とするものであり、最適な記録用パラメータ情報を記録再生装置の情報蓄積手段に書き込みことにより、記録したい記録媒体のロット番号に相対し、かつ記録品質の良い記録パラメータを用いた記録を実現しうるものである。
【００２３】
【発明の実施の形態】
以下本発明の実施の形態について、図面を参照しながら説明する。
【００２４】
（実施の形態１）
本発明の請求項１、請求項２および請求項３に記載された発明の実施の形態について、図１および図２を用いて説明する。尚、本実施の形態１に記載する記録品質保証システムの構成および概略は、従来の記録品質保証システムと同等の為、省略する。
【００２５】
図１は、本実施の形態１に記載する記録品質保証システムのオペレーションパネル（ディスクプレイ表示画面）の略線図である。
【００２６】
図２は、本実施の形態１に記載する記録品質保証システムにおいて、記録品質を確保するための記録動作のフローチャートある。
【００２７】
本実施の形態１の記録品質保証システムでは、記録媒体１が挿入された状態で、本発明の記録品質保証システムの使用者が、ホスト・コンピュータＡにＷＲＩＴＥコマンドを発行すると（Ｓ８）、図１に示すように、ホスト・コンピュータＡのオペレーションパネルに、記録媒体１のロット番号の入力処理が求められる。本発明の記録品質保証システムの使用者が、記録媒体１のロット番号を入力すると（Ｓ９）、記録再生装置は、入力されたロット番号に相対する記録用パラメータが不揮発性メモリ８内に存在するか否かを照合し（Ｓ１０）、もし、存在すれば、不揮発性メモリ８からロット番号に相対する記録用パラメータを読み出し（Ｓ１４）、読み出した記録用パラメータを用いて記録媒体１を記録する（Ｓ１５）。しかしながら、存在しなければ、ホスト・コンピュータＡは、記録再生装置メーカのサーバ・コンピュータとネットワーク接続を行い（Ｓ１１）、記録再生装置および記録媒体のロット番号情報を送信する（図８におけるａ）と共に、サーバ・コンピュータのＨＤＤ１０’に存在するロット番号に相対する最適な記録用パラメータをダウンロードし（図８におけるｂ）、ホスト・コンピュータＡのＨＤＤ１０に一時記憶し、かつ記録再生装置の不揮発性メモリ８に書き込む（Ｓ１２）。そして、ネットワーク切断後（Ｓ１３）、不揮発性メモリ８からロット番号に相対する最適な記録用パラメータを読み出し（Ｓ１１）、読み出した記録用パラメータを用いて記録媒体１を記録する（Ｓ１５）というものである。
【００２８】
以上のように、本実施の形態１によれば、記録前に記録媒体のロット番号を確認するため、記録再生装置および記録媒体のロット番号に相対する最適な記録パラメータによる記録が行うことができるため、ロット違いによる記録品質ばらつきを吸収することができる。
【００２９】
（実施の形態２）
本発明の請求項４、請求項５および請求項６に記載された発明の実施の形態について、図３および図４を用いて説明する。尚、本実施の形態２に記載する記録品質保証システムの構成は、従来の記録品質保証システムと同等の為、省略する。
【００３０】
図３は、本実施の形態２に記載する記録品質保証システムの概略図である。本実施の形態２の記録品質保証システムにおいて、記録再生装置を搭載しているホスト・コンピュータＡは、モデム等の通信手段を介して記録媒体メーカのサーバ・コンピュータとネットワーク接続されている。
【００３１】
図４は、本実施の形態２に記載する記録品質保証システムにおいて、記録品質を確保するための記録動作のフローチャートある。
【００３２】
本実施の形態２の記録品質保証システムでは、記録媒体１が挿入された状態で、本発明の記録品質保証システムの使用者が、ホスト・コンピュータＡにＷＲＩＴＥコマンドを発行すると（Ｓ１６）、図１に示すように、ホスト・コンピュータＡのオペレーションパネルに、記録媒体１のロット番号の入力処理が求められる。本発明の記録品質保証システムの使用者が、記録媒体１のロット番号を入力すると（Ｓ１７）、記録再生装置は、入力されたロット番号に相対する記録用パラメータが不揮発性メモリ８内に存在するか否かを照合し（Ｓ１８）、もし、存在すれば、不揮発性メモリ８からロット番号に相対する記録用パラメータを読み出し（Ｓ２２）、読み出した記録用パラメータを用いて記録媒体１を記録する（Ｓ２３）。しかしながら、存在しなければ、ホスト・コンピュータＡは、記録媒体メーカのサーバ・コンピュータとネットワーク接続を行い（Ｓ１９）、記録媒体のロット番号情報を送信する（図４におけるｃ）と共に、サーバ・コンピュータのＨＤＤ１０’に存在するロット番号に相対し、かつ記録媒体メーカが推奨する記録用パラメータをダウンロードし（図４におけるｄ）、ホスト・コンピュータＡのＨＤＤ１０に一時記憶し、かつ記録再生装置の不揮発性メモリ８に書き込む（Ｓ２０）。そして、ネットワーク切断後（Ｓ２１）、不揮発性メモリ８からロット番号に相対し、かつ記録媒体メーカが推奨する記録用パラメータを読み出し（Ｓ２２）、読み出した記録用パラメータを用いて記録媒体１を記録する（Ｓ２３）というものである。
【００３３】
以上のように、本実施の形態２によれば、記録前に記録媒体のロット番号を確認するため、記録媒体のロット番号に相対し、かつ記録媒体メーカが推奨する最適な記録パラメータによる記録が行うことができるため、ロット違いによる記録品質ばらつきを吸収することができる。
【００３４】
（実施の形態３）
本発明の請求項７、請求項８および請求項９に記載された発明の実施の形態について、図５を用いて説明する。尚、本実施の形態３に記載する記録品質保証システムの概略および構成は、本実施の形態１の記録品質保証システムと同等の為、省略する。
【００３５】
図５は、本実施の形態３に記載する記録品質保証システムにおいて、記録品質を確保するための記録動作のフローチャートある。尚、本実施の形態３に記載する記録品質保証システムにおいて、記録品質を確保するための記録動作における記録処理（Ｓ１からＳ７）までは、従来の記録品質保証システムと同等の為、省略する。
【００３６】
本実施の形態３の記録品質保証システムでは、従来の記録品質保証システムと同様の手順に従って記録（Ｓ１からＳ７）を行い、記録終了後に、記録した記録媒体１の記録品質（例えば、変調度、シンメトリ、ジッタ、Ｃ２エラーおよびエラーレート等々）を測定し（Ｓ２４）、記録品質が所定値以上悪ければ、ホスト・コンピュータＡは、記録再生装置メーカのサーバ・コンピュータとネットワーク接続を行い（Ｓ２５）、記録品質結果および記録媒体のロット番号情報を送信し（Ｓ２６および図８におけるａ）、ネットワークを切断する（Ｓ２７）。そして、送信された記録品質結果および記録媒体１のロット番号情報をもとに、記録再生装置メーカでは、記録品質の悪くなるロット番号の記録媒体１を解析し、記録品質が良くなるよう記録用パラメータの最適化を行い、記録品質が良くなる記録用パラメータを記録再生装置メーカのサーバ・コンピュータのＨＤＤ１０’に記憶しておく。その後、先ほどの記録再生装置が次回、記録品質が悪いロット番号の記録媒体１に記録する際に、記録前に、ホスト・コンピュータＡは、記録再生装置メーカのサーバ・コンピュータとネットワーク接続を行い、サーバ・コンピュータのＨＤＤ１０’に存在する最適化され、記録品質が良くなる記録用パラメータをダウンロードし（図８におけるｂ）、記録再生装置の不揮発性メモリ８に書き込み、記録品質が良くなる記録用パラメータを用いて記録媒体１を記録するというものである。
【００３７】
以上のように、本実施の形態３によれば、記録後に、記録した記録媒体の記録品質を確認し、記録品質が悪い場合、記録品質結果および記録媒体１のロット番号情報を送信することで、記録再生装置メーカの迅速なサポートが得られ、次回記録を行う際には、記録品質が良くなるよう改善されている記録用パラメータをダウンロードできるため、ロット違いによる記録品質ばらつきを低減することができる。
【００３８】
（実施の形態４）
本発明の請求項１０、請求項１１および請求項１２に記載された発明の実施の形態について、図６および図７を用いて説明する。
【００３９】
図６は、本実施の形態４に記載する記録品質保証システムの概略図である。本実施の形態４の記録品質保証システムにおいて、記録再生装置を搭載している複数ホスト・コンピュータＡ〜Ｄは、モデム等の通信手段を介して任意サーバ・コンピュータとネットワーク接続されている。
【００４０】
図７は、本実施の形態４に記載する記録品質保証システムにおいて、記録品質を確保するための記録動作のフローチャートある。尚、本実施の形態４に記載する記録品質保証システムにおいて、記録品質を確保する記録動作における記録処理（Ｓ１からＳ７）までは、従来の記録品質保証システムと同等の為、省略する。
【００４１】
本実施の形態４の記録品質保証システムでは、例えば、ホスト・コンピュータの記録再生装置Ａ〜Ｃが、従来の記録品質保証システムと同様の手順に従って記録（Ｓ１からＳ７）を行い、記録終了後に、記録した記録媒体１の記録品質（例えば、変調度、シンメトリ、ジッタ、Ｃ２エラーおよびエラーレート等々）を測定し（Ｓ２８）、記録品質が所定値以上良ければ、ホスト・コンピュータは、任意サーバ・コンピュータとネットワーク接続を行い（Ｓ２９）、記録再生装置・記録媒体のロット番号および記録用パラメータ情報を送信し（Ｓ３０および図６におけるｅ）、ネットワークを切断する（Ｓ３１）。そして、任意サーバ・コンピュータには、複数のホスト・コンピュータＡ〜Ｃより送信された記録品質が所定値以上良かった時のロット番号および記録用パラメータ情報が蓄積されており、例えば、ホスト・コンピュータＤの記録再生装置Ｄが、所定のロット番号の記録媒体１に記録を行う際に、任意サーバ・コンピュータとネットワーク接続を行い、記録品質保証システムの使用者が、任意サーバ・コンピュータに記録再生装置Ｄおよび記録媒体１のロット番号を送信し、（図６におけるｆ）。任意サーバ・コンピュータからこれから記録したい記録媒体１のロット番号に相対し、かつ記録品質が良くなる記録用パラメータをダウンロードし（図６におけるｇ）、ホスト・コンピュータＤのＨＤＤ１０に一時記憶し、記録再生装置の不揮発性メモリ８に書き込む。そして、ネットワーク切断後、不揮発性メモリ８から、先程ダウンロードした記録用パラメータを読み出し、読み出した記録用パラメータを用いて記録媒体１を記録するというものである。
【００４２】
以上のように、本実施の形態４によれば、任意サーバ・コンピュータには、複数の記録再生装置から、記録品質が良くなる記録用パラメータが蓄積されていくため、他ユーザが記録前に、記録再生装置および記録媒体のロット番号を送信することで、記録再生装置および記録媒体のロット番号に相対し、かつ記録品質が確保された記録用パラメータがダウンロードできるため、ロット違いによる記録品質ばらつきを低減することができる。
【００４３】
なお、実施の形態１から実施の形態４に記載する記録品質保証システムのロット番号を入力する処理は、本発明の記録品質保証システムの使用者が行うと説明したが、画像処理等により、ロット番号を自動的に読み取ること機能を導入した記録品質保証システムでも、同様の効果が挙げられることは言うまでもない。また、記録再生装置のロット番号の入力および送信処理については、装置本体のファームウェアに記録再生装置のロット番号を埋め込んでおくことにより、ファームウェア更新および記録用パラメータのダウンロードの際に同時に送信できるため、説明していない。
【００４４】
【発明の効果】
以上のように、本発明の記録品質保証システムによれば、記録再生装置メーカおよび記録媒体メーカのサーバ・コンピュータにロット番号を送信し、ロット番号に相対する最適な記録用パラメータ情報をダウンロードすることで、ロット番号に相対する最適な記録用パラメータを用いた記録が行えるため、ロット番号の違いによる品質ばらつきを吸収することができる。
【図面の簡単な説明】
【図１】本実施の形態１に記載する記録品質保証システムのオペレーションパネルの略線図
【図２】本実施の形態１に記載する記録品質保証システムにおける記録品質を確保するための記録動作のフローチャート
【図３】本実施の形態２に記載する記録品質保証システムの概略図
【図４】本実施の形態２に記載する記録品質保証システムにおける記録品質を確保するための記録動作のフローチャート
【図５】本実施の形態３に記載する記録品質保証システムにおける記録品質を確保するための記録動作のフローチャート
【図６】本実施の形態４に記載する記録品質保証システムの概略図
【図７】本実施の形態４に記載する記録品質保証システムにおける記録品質を確保するための記録動作のフローチャート
【図８】従来の記録品質保証システムの概略図
【図９】従来の記録品質保証システムの構成図
【図１０】従来の記録品質保証システムにおける記録品質を確保するための記録動作のフローチャート
【符号の説明】
１  記録媒体
２  回転制御回路
３  スピンドルモータ
４  記録再生装置のＣＰＵ
５  ピックアップ駆動回路
６  ピックアップ
７  記録／再生回路
８  不揮発性メモリ
９  モデム
１０  ホスト・コンピュータのＨＤＤ
１０’サーバ・コンピュータのＨＤＤ
【図１】
2004355698.tif 000003
【図２】
2004355698.tif 000004
【図３】
2004355698.tif 000005
【図４】
2004355698.tif 000006
【図５】
2004355698.tif 000007
【図６】
2004355698.tif 000008
【図７】
2004355698.tif 000009
【図８】
2004355698.tif 000010
【図９】
2004355698.tif 000011
【図１０】
2004355698.tif 000012